(57)【特許請求の範囲】
【請求項１】
基板と、
第１光感知領域と、
第２光感知領域と、
を有する光センサ装置において、
前記第１光感知領域に割り当てられ且つ可視光スペクトルをフィルタするように適合される第１光学フィルタ装置と、前記第２光感知領域に割り当てられ且つ、赤外線光スペクトルである非可視光スペクトルをフィルタするように適合される第２光学フィルタ装置と、が設けられ、
前記第１及び第２光感知領域が、単一の一体型センサコンポーネントを形成するように、互いに対して隣接して同一の基板において加工され、
前記第１及び第２光感知領域が前記基板における１つの陥凹状の窓内において設けられ、前記第１及び第２フィルタ装置が前記窓の上に且つ互いに直接隣接して配置され、前記窓を光学的に密封する、
ことを特徴とする光センサ装置。
【請求項２】
請求項１に記載の光センサ装置において、前記光感知領域の両方が、可視光及び赤外線光に対して感知性を有する、ことを特徴とする光センサ装置。
【請求項３】
請求項１又は２に記載の光センサ装置において、前記光感知領域のうちの少なくとも１つが、少なくとも１つのＰＩＮダイオードとして設けられる、ことを特徴とする光センサ装置。
【請求項４】
請求項１ないし３のいずれか一項に記載の光センサ装置において、前記第１光感知領域が３つの感知区域を形成するように構成され、各区域は光学フィルタ装置を割り当てられ、前記光学フィルタ装置は、前記可視光スペクトルを３つの副スペクトルに分割する、ことを特徴とする光センサ装置。
【請求項５】
請求項４に記載の光センサ装置において、前記光学フィルタ装置が、赤、緑及び青の光をフィルタするように適合される、ことを特徴とする光センサ装置。
【請求項６】
請求項１ないし５のいずれか一項に記載の光センサ装置において、前記光感知領域のうちの少なくとも一つが、前記感知領域の出力を増幅するための少なくとも１つの増幅器段と結合される、ことを特徴とする光センサ装置。
【請求項７】
請求項６に記載の光センサ装置において、前記増幅器段のうちの少なくとも一つの出力が、ローパスフィルタ手段であるフィルタ手段へ結合される、ことを特徴とする光センサ装置。
【請求項８】
請求項１ないし７のいずれか一項に記載の光センサ装置において、前記基板に配置され且つ制御回路によって駆動される、赤外線光を介して情報及び／又は制御信号を送信するための発光ダイオードを特徴とする、光センサ装置。
【請求項９】
可視光を放射する少なくとも１つの光源と、前記光源の色を制御する制御回路と、請求項１ないし８のいずれか一項に記載の光センサ装置であって、前記放射された光の色についての情報を供給するために、前記制御回路に結合される光センサ装置と、を含むランプ装置。
【請求項１０】
請求項９に記載のランプ装置において、制御信号を送信するために赤外線光発光ダイオードを有するリモートコントロールを特徴とするランプ装置。
【請求項１１】
請求項１０に記載のランプ装置において、前記制御回路が、制御信号を、隣接するランプへ送信する及び、前記隣接するランプから受信するように適合される、ことを特徴とするランプ装置。
【請求項１２】
請求項１０又は１１に記載のランプ装置において、前記光源が、少なくとも１つの発光ダイオード、有機発光ダイオード若しくはポリ発光ダイオード、又はこれらのいずれかの組み合わせを含む、ことを特徴とするランプ装置。
【発明の詳細な説明】
【技術分野】
【０００１】
本発明は、基板、第１光感知領域及び第２光感知領域を有する光センサ装置に関する。本発明は、更に、このような光センサ装置を備えるランプ装置に関する。
【背景技術】
【０００２】
光源は、従来型の照明装置（例えば、信号灯及びランプなど）及びシステムがより更に発光ダイオードに基づく光源を具備されることにより、変化していく。これらＬＥＤ光源の主な有利な点は、より高い効率及び増加された寿命である。非常に小さいＬＥＤ寸法及び柔軟なフォームファクタにより、新規で興味深い機会がランプ設計者へもたらされる。
【０００３】
例えば、小型信号灯などとしてのＬＥＤの元の応用例は、非常に広がってきている。（直列及び／又は並列に接続された）複数のＬＥＤの組み合わせは、多くの場合、光出力を増加させ、そして、例えば信号機などの物理的により大きな高輝度点灯装置を実施化させるために使用される。自動車の分野においても、ＬＥＤに基づく点灯装置は、ますます実装されている。現在、これらの装置は、バックアップライト及びブレーキ灯として、並びにフラッシュライトシステムにおいて見受けられ得る。これらの装置をヘッドライトとして使用する初めての試みがなされており、その結果は有望であるように見える。
【０００４】
加えて、ＬＥＤ製光源に関する一般的な市場は、プロフェッショナル照明の分野、及び消費者応用例（例えば、家庭における雰囲気照明など）の分野に含まれる。これらの応用例において特に、光源に対する高い要件がなされる。具体的には、非常に良好な色品質（例えば、色レンダリング）が、この要件を満たすことが必要である。更に、ユーザの需要に対してこのようなＬＥＤ光源の色自体（及び／又は色温度）を適合させることも追加的な興味であり得る。このことには全て、ＬＥＤ光源に関して非常に特別化され且つ適合された電子駆動回路を必要とする。
【０００５】
通常、白色光は、少ない異なるＬＥＤ（異なる色を有する）の組み合わせを用いて生成される。原理的に、これらの異なる色の混合は、求められる特性を有する所望な白色光（又は他の全ての色）を生成するのに使用される。多くの場合、赤（Ｒ）、緑（Ｇ）及び青（Ｂ）が使用される。例えば琥珀色（Ａ）等の、より多くの色が色品質を向上させるのに加えられ得る。原理的に、他の色組み合わせも同様に使用され得る。このような組み合わせを用いて、白色の光出力（光束）及び色温度が、調整され得る。しかし、異なる電子駆動信号を用いてＬＥＤの特別な組み合わせを用いた場合にのみ、他の色（例えばオレンジ色）も生成され得る。
【０００６】
しかし、これらの可能性は、このような光源のＬＥＤのそれぞれ（又は組み合わせ）に関して非常に特化された電子駆動回路を必要とする。加えて、センサに基づくフィードバックループ（制御）が、光特性を測定し且つ所望な光出力へ光出力を導くために、実装され得る。センサとして、（光束を測定する）光センサ又は（光スペクトルを測定する）（真）色センサなどの従来型のフォト感知装置が使用され得る。これらには、温度感知装置又は他の装置を追加され得る。全ての感知されるデータは、所要な光特性が達成され内限りは、ＬＥＤの駆動電流を独立して調整し得る、点灯装置の制御回路へ提供するのに使用され得る。ＬＥＤの電子駆動電流は、従来型である非常に様々な基本回路において修正され得る。例示的には、パルス幅変調（ＰＷＭ）、振幅変調（ＡＭ）及び直接電流供給が言及されるべきである。
【０００７】
加えて、光源及び制御装置間、又は例えば部屋においてなどの１つの領域内における異なる光源間においても、通信リンクを確立する需要が存在する。このことは、光源（強度のみならず色）の電気コードを必要としない制御を可能にし得る、又はいくつかの光源間における調整（強度又は色）を可能にし得る。
【０００８】
上述の光センサ装置は、例えば、米国特許出願書類第2004/0105264A1号に記載されている。この文書による光センサ装置は、特定の色を検出するための特定のスペクトル感知性を有するフォト検出器を用いる。この場合、センサの測定は、ＬＥＤなどの発光要素を制御するのに使用される。
【０００９】
米国特許出願書類第2006/0092407A1号は、感知される光環境を識別する方法及び装置を開示する。具体的には、複数の光センサが、異なる範囲の光に対応する感知されるデータセットを生成するのに使用され、光の範囲のうちの１つの少なくとも一部分は、可視光スペクトルの外側にある。光の各範囲に関して、単一の光センサが設けられる。
【００１０】
当業技術分野において知られる光センサの対処法は、共通して、異なる光の範囲に関する複数のセンサ要素を使用し、これにより、装置が配線に関して複雑になりしたがって高価及び大型になり、特に小型ＬＥＤランプにおける可能な応用例の分野を制限することになる。従来型の光センサ装置のこれらの不利な点は、装置が、無線伝送される制御信号を検出するためなどのＩＲセンサ能力を備えられる必要がある場合に、より重大になる。
【発明の概要】
【発明が解決しようとする課題】
【００１１】
したがって、上記のことを鑑み、本発明の目的は、あまり高価でなく、簡素な組み立て及びより小さい設計を可能にする光センサ装置を提供することである。
【課題を解決するための手段】
【００１２】
本発明の目的は、第１光感知領域に割り当てられ且つ可視光スペクトルをフィルタするように適合される第１光学フィルタ装置と、第２光感知領域に割り当てられ且つ好ましくは赤外線光スペクトルである非可視光スペクトルをフィルタするように適合される第２光学フィルタ装置と、が設けられ、前記第１及び第２光感知領域が、単一の一体型センサコンポーネントを形成するように、互いに対して隣接して同一の基板において加工される、光センサ装置によって解決される。
【００１３】
このことは、言い換えると、本発明は、好ましくは、１つの感知領域が可視光に応答し、且つ他方の感知領域が非可視光、好ましくは赤外線光に応答するような同質の光感知領域を含む単一の一体型センサコンポーネントを提供する。このことは、第１及び第２フィルタ装置によって達成され、第１フィルタ装置は、可視光スペクトルをフィルタするように適合され（このことは、可視光スペクトルが通過することを意味し）、第２フィルタ装置は、好ましくは赤外線光である非可視光をフィルタするように適合される。可視光及び好ましくは赤外線光である非可視光に関するセンサ能力が、同一の基板において実現されるので、生じるセンサコンポーネントは、複数の個別センサ要素を用いる解決法と比較されて、小型であまり高価でない。更に、生じるセンサコンポーネントは、ランプの制御装置とコンポーネントを結合するための配線対策をあまり必要としない。
【００１４】
要約すると、本発明は、制御信号を送信するのに使用される赤外線光又は紫外線光をも感知する能力も備えた非常に小型で費用効果的な光センサ装置を実現することが可能である。本発明に従う光センサ装置が非常に小型であるので、センサ装置を組み込むランプ装置は、小型なフォームファクタを有して設計もされ得る。
【００１５】
本発明の文脈において、光フィルタ装置は、特定の光スペクトルを通過させ、他の光スペクトルをブロックするのに適合される全てのフィルタの種類を意味する。光学ガラスフィルタ以外には、例えば、干渉フィルタも使用可能である。
【００１６】
好ましい実施例において、前記第１及び第２光感知領域が前記基板の少なくとも１つの窓において設けられ、前記第１及び第２フィルタ装置が前記窓のうえに配置される。
【００１７】
この対策は、感知領域が、それぞれのフィルタ装置によってブロックされ得ない通常の漂遊光に対して遮断されるという有利な点を有する。したがって、感知の結果は、向上され得る。
【００１８】
更なる好ましい実施例において、前記光感知領域の両方が、可視光及び赤外線光に対して感知性を有する。
【００１９】
言い換えると、このことは、両方の感知領域が、同一のスペクトル範囲に感知性を有し、したがって、同様な構造を有することを意味する。
【００２０】
この対策の有利な点は、類似の構造、及びＳｉ技術などの、類似の加工技術を用いて更に低減され得る。
【００２１】
更に好ましい実施例において、前記光感知領域のうちの少なくとも１つが、少なくとも１つのＰＩＮフォトダイオードとして設けられる。
【００２２】
この対策は、実際に有利であることが証明されている。光感知領域が、並列又は直列に１つ以上のＰＩＮフォトダイオードを含み得ることを特記されるべきである。ＰＩＮフォトダイオードの数及び互いにこれらを結合する手法は、センサの所要な感知性に依存する。
【００２３】
より好ましい実施例において、前記第１光感知領域が３つの感知区域を形成するように構成され、各区域は光学フィルタ装置を割り当てら得てられ、前記光学フィルタ装置は、前記可視光スペクトルを３つの副スペクトルに分割する。好ましくは、前記光学フィルタ装置が、赤、緑及び青の光をフィルタするように適合される。
【００２４】
３つの独立した感知区域を規定することは、センサ品質及び精度を向上させるのを可能にする。具体的には、赤、緑及び青の光に感知性を有する３つの光学フィルタ装置は、可視光スペクトル全体を感知する光センサ装置を設計し、ランプの正確な色制御を可能にさせる。このことは、大きな及び空間を消費するような設計を必要とすることなく達成される。
【００２５】
当然、異なる数の光感知区域、及びしたがって異なる数のフィルタ装置を使用することも可能であり得る。
【００２６】
更に好ましい実施例において、前記光感知領域のうちの少なくとも一つが、前記感知領域の出力を増幅するための少なくとも１つの増幅器段と結合される。好ましくは、増幅器段は、同一の基板にも加工される。
【００２７】
増幅器段を同一の基板に一体化することは、測定信号品質を向上させ、したがって、センサ装置の全体品質をも向上させる。増幅器段が同一の基板において加工されるという事実により、生じる装置は、なお非常に小型で、配線の労力が低い。
【００２８】
更に好ましい実施例において、前記増幅器段のうちの少なくとも一つの出力が、好ましくはローパスフィルタ手段であるフィルタ手段へ結合される。
【００２９】
このことは、特定の周波数（ローパスフィルタのカットオフ周波数）より上の興味のない信号がフィルタ除去され得、したがって、出力信号の一部ではもはやなくなるので、センサ装置の測定品質がより更に向上され得るという有利な点を有する。
【００３０】
好ましい実施例において、前記基板に配置され且つ制御回路によって駆動される、赤外線光を介して情報及び／又は制御信号を送信するための赤外線発光ダイオードが設けられる。
【００３１】
この対策は、光センサ装置が、情報を送信するのにも使用され得るという有利な点を有する。赤外線ＬＥＤは、光感知領域として同一の基板に一体化されるので、追加的な送信能力を有する小型な光センサコンポーネントが達成される。
【００３２】
本発明に従う光センサ装置は、可視光を放射する少なくとも１つの光源と、前記光源の色を制御する制御回路と、を含むランプ装置へ組み込まれ得、本発明の光センサ装置は、前記放射された光の色についての情報を供給するために、前記制御回路に結合される。
【００３３】
前記光源が、少なくとも１つの発光ダイオード（ＬＥＤ）、有機発光ダイオード（ＯＬＥＤ）若しくはポリ発光ダイオード（Ｐ−ＬＥＤ）、又はこれらのいずれかの組み合わせを含み得る。
【００３４】
本発明は、特定の種類の光源に制限されていないが、ＬＥＤ照明の分野における本発明の光センサ装置の応用例は、見込みがある。
【００３５】
更なる特徴及び有利な点は、以下の説明及び添付の図面から採用され得る。
【００３６】
上述の特徴、及び以下に更に説明されるべき特徴は、示されるそれぞれの組み合わせにおいてのみ使用され得るだけでなく、本発明の範囲を離れることなく、他の組み合わせ又は分離しても使用され得ることを理解されるべきである。
【００３７】
本発明の実施例は、図面に示され、これらの図面を参照にして以下の説明において詳細に説明される。
【図面の簡単な説明】
【００３８】
【図１】図１は、本発明の光センサ装置のブロック図を示す。
【図２Ａ】図２Ａは、本発明のある実施例の構造の概略図を示す。
【図２Ｂ】図２Ｂは、本発明の別の実施例の構造の概略図を示す。
【図３】図３は、更なる実施例に従う光センサ装置のブロック図を示す。
【図４】図４は、本発明の更なる実施例に従う光センサ装置のブロック図を示す。
【図５】図５は、本発明の更なる実施例に従う光センサ装置のブロック図を示す。
【図６】図６は、本発明の更なる実施例に従う光センサ装置のブロック図を示す。
【図７】図７は、本発明の光センサ装置を組み込む点灯システムの例示的な例を示す。
【発明を実施するための形態】
【００３９】
図１において、光センサ装置のブロック図が示され、参照符号１０を用いて示される。光センサ装置１０は、第１光センサ１４及び第２光センサ１２を含む。両方の光センサは、可視光スペクトル及び赤外線光に感知性を有する。好ましい実施例において、両方の光センサ要素は、例えば、ＰＩＮフォトダイオード１３・１５などのフォトダイオードである。
【００４０】
光センサ装置１０は、可視光スペクトルの光強度及び赤外線光の光強度を、互いに独立して検出するように適合される。以下に詳細に説明されるように、赤外線検出能力は、赤外線送信器によって送信される制御信号を受け取るのに使用され得る。しかし、光センサは、赤外線能力の代わりに、紫外線送信器によって送信制御信号を受け取る紫外線能力を有し得る。本発明は、赤外線光検出に制限されない。
【００４１】
両方の光センサ１２・１４は、基板の一部に一体化され、これにより、非常に小型な光センサ装置が達成され得ることを特記されるべきである。光センサ装置の半導体構造は、図２Ａに概略的に示される。光センサ１０は、両方のセンサ１２・１４すなわちフォトダイオード１３・１５が加工される半導体材料の基板１８を有し、２つの光感知領域を形成する。光感知領域すなわちフォトダイオード１３・１５の両方は、基板１８の窓２６内に配置される。光感知領域１３・１５の上に光学フィルタ装置２０が設けられ、窓２６を覆う。装置を加工するために、よく知られているＳｉ技術が使用され得る。
【００４２】
図２Ａに示される実施例において、フィルタ装置２０は、可視光スペクトル及び赤外線光スペクトルのそれぞれをフィルタする２つのフィルタ要素２２・２４を含む。干渉フィルタが使用される場合、それぞれのフィルタ要素は、互いの間に空隙を形成することなく、光感知領域１３・１５において直接配置される。
【００４３】
第１フィルタ要素２２は、第１感知領域１５に割り当てられ、第２フィルタ要素２４は、第２光感知領域１３に割り当てられる。したがって、可視光スペクトルのみが第１光感知領域１５に到達し、この場合、赤外線光スペクトルのみが第２光感知領域１３へ到達する。このことは、図２Ａにおいて矢印によって示される。２つのフィルタ要素が用いられるので、両方の光感知領域１３・１５は、同一の構造を有し得、このことは、同一の光スペクトルに感知性を有することを意味する。
【００４４】
図２Ｂにおいて、光センサ装置の更なる実施例が概略的に示される。図２Ａに関して説明される実施例とは対称的に、第１装置２０は、上述の第１要素２４に加えて、３つの異なるフィルタ要素２８・３０・３２を含む。具体的には、可視光スペクトルをフィルタするフィルタ要素２２は、３つの異なるフィルタ要素へ分割され、それぞれは、可視光スペクトルの所定の部分をフィルタする。例えば、フィルタ要素２８・３０・３２が、赤、緑、青の光のスペクトルをフィルタするように適合される。
【００４５】
フィルタ要素２２に関する分離は、第１感知領域１５に関しても実行され、これにより、３つの光感知区域１５ａ・１５ｂ・１５ｃが設けられる。光感知区域のそれぞれは、３つのフィルタ要素２８・３０・３２のうちの１つに割り当てられる。
【００４６】
したがって、この光センサ装置は、独立して測定された光スペクトルのうちの赤、緑及び青の光の部分の光強度を検出することを可能にする。
【００４７】
しかし、応用例によって必要とされる場合に、可視光スペクトルの異なる部分をフィルタに関する他のフィルタ要素が考慮され得ることを特記されるべきである。
【００４８】
この光センサ装置１０の対応する電気ブロック図は、図３に示される。青、緑、赤及び赤外線部分に関する４つの光感知要素が設けられることは明らかである。それぞれの光感知領域１５・１３が同一の基板１８において加工されるので、例えば、Ｓｉ技術を用いて３つの異なる色及び赤外線を検出することが可能である非常に小型な光センサ装置が設けられる。
【００４９】
具体的には、フィルタ装置２０のフィルタ要素は、可視光に関する感知性が、３つの異なる副感知性に分離されるように選択され、好ましくは３つのＣＩＥ色一致関数のうちの１つにそれぞれ一致する。更に、フィルタ要素２４は、光スペクトルの赤外線部分に感知性を有するように選択される。
【００５０】
再び、異なるフィルタ特性を有するフィルタ要素も可能であり得ることを特記されるべきである。フィルタ装置２０の構造の選択は、所望な応用例、具体的には、光センサ装置１０の出力信号に基づいて実行されるべき所望な制御関数、のみに依存する。
【００５１】
更に、フォトダイオードだけでなく、フォトトランジスタ、太陽電池、フォト抵抗器などのような他のフォト感知要素も光センサ１２・１４として使用され得ることを特記されるべきである。
【００５２】
図４において、光センサ装置１０の更なる実施例が示される。上述の実施例とは対称的に、光センサ装置１０は、各光感知領域１５・１３の出力信号を増幅するように適合される増幅器段４０を含む。具体的には、増幅器段は、各光感知領域１５・１３に対して１つの増幅器を有する。しかし、全ての光感知領域１５・１３に対して１つのみの増幅器段を有することも可能であり得、この場合、センサ信号に対して多重化工程が必要とされる。
【００５３】
増幅器段４０の増幅は、よく知られ且つ同一のＳｉ技術が使用され得るので光センサ装置の部分として直接実施化され得るいわゆるトランスインピーダンス増幅器によって行われ得る。
【００５４】
増幅器段４０は、例えば抵抗器などの外部コンポーネントを結合させることによって、増幅因数を規定するように、更なる端子を具備され得る。
【００５５】
図５において、光センサ装置のより更なる実施例が示され、参照符号１０を用いて示される。図４に示される実施例に加えて、図５の光センサ装置１０は、増幅器段４０の出力をフィルタするフィルタ段４６を含む。好ましくは、全ての光感知領域の出力は、１つの対応するフィルタ段４６を用いてフィルタされる。しかし、光感知領域の出力信号を１つの単一のフィルタ段へ多重化させることも可能であり得る。
【００５６】
フィルタ段４６のフィルタ処理は、よく知られているいわゆるローパスフィルタによって実施され得、いわゆるカットオフ周波数より下の信号のみを伝送させる。最も簡単な場合において、このフィルタは、ＲＣ組み合わせからなる。しかし、受動型又は能動型フィルタ設計も使用可能であり得る。更に、フィルタ段は、フィルタ特性を規定するために、抵抗器及び／又はコンデンサなどの外部コンポーネントを結合するための更なる端子も有し得る。
【００５７】
光センサ装置の最も一体化された態様が図６に示される。光感知領域１５・１３を含む装置の光感知部分は、赤外線送信装置５０によって拡張される。ＩＲ送信装置は、好ましくは、赤外線ＬＥＤ５１の形態で設けられるが、トランジスタなどの他のＩＲ放射装置も使用され得る。ＩＲ送信装置は、送信される赤外線信号が、自身の感知領域１３から切り離されるように、構造を形成される必要がある。光センサ装置１０の送信及び受信部分間のクロストークは、低減される必要がある。このことは、最適化されたフィルタ構造及び／又はコンポーネントの適合された位置の選択によって行われ得る。
【００５８】
増幅段は、赤外線送信器へも割り当てられ得ることを特記されるべきであるが、このことは、図６には示されない。更に、この増幅器段は、図４に示される増幅器段４０に関して上述されるように、外部コンポーネントを対応する端子へ接続することによって、調整され得る。
【００５９】
更に、図６に示される光センサ装置の、光感知領域１５・１３及び赤外線送信装置５０は、非常に小型な装置が提供され得るように、１つの共通の基板に全て統合されることを特記されるべきである。
【００６０】
図７において、特に図６に示される光センサ装置１０の応用例の例は、概略的に例証される。光センサ装置１０は、このような複数のランプ６０を含む点灯システムの一部であるランプ６０へ組み込まれる。
【００６１】
各ランプ６０は、光源７０、好ましくは１つ以上の発光ダイオードをふくむ。当然、有機発光ダイオード若しくはポリ発光ダイオード、又はこれらのいずれかの組み合わせも代わりに使用され得る。
【００６２】
光源７０は制御回路７４によって制御及び駆動され、制御回路７４は、上述されるように光センサ装置１０へ接続される。
【００６３】
ランプ６０に加えて、点灯システムは、ランプ６０のいずれかへデータリンク６８を介してデータ信号を送信する少なくとも１つの赤外線ＬＥＤ６３を含むリモートコントロール６２を含む。リモートコントロール６２は、ユーザ６４によって使用される。
【００６４】
データリンク６８は、リモートコントロール６２及びランプ６０の間において構築され得、この場合、赤外線光スペクトルを検出する光感知領域１３は、リモートコントロール６２からデータ信号を受信するのに設けられる。このようなデータ信号は、制御回路７４によって処理される。ユーザ６４は、例えば、ランプ６０の光源をスイッチオン及びオフし得、光源の光強度を調整し得、又は色を調整し得る。
【００６５】
光センサ装置１０が赤外線送信装置５０を有するので、ランプ６０は、隣接するランプ６０へ更なるデータリンクを確立することが可能である。このデータリンク６８は、双方向に隣接するランプ６０間において制御信号を送信するのに使用され得る。双方向性は、光センサ装置１０内に、前記赤外線送信装置５０及び赤外線光に感知性を有する光感知領域１３を設けることによって達成される。
【００６６】
光センサ装置１０の光感知領域１５ａ・１５ｂ・１５ｃは、対応する光スペクトルを感知するのに使用され、これにより、制御回路７４は、所望なランプ設定に達するために、ＲＧＢ光源を調整し得る。上述されるように、これらの所望なランプ設定は、リモートコントロール６２を介してユーザによって、又は別のランプ６０によって、送信され得る。
【００６７】
例えば、ランプ６０のうちの１つをオンにした後で、このランプは、第２ランプ６０によって受信される赤外線識別信号を送信する。結果として、自己構成双方向通信リンク６８が確立され、これらのランプのうちの１つがマスタとして動作し、他のランプがスレーブとして動作する。赤外線リンクを確立した後で、マスタは、スレーブに、光条件をマスタの条件に調整するようにさせる。このことは、ユーザがマスタ・スレーブリンクを中断し、リモートコントロール６２を用いて手動で各ランプ条件を設定しない場合は、部屋の各ランプが同一の光出力を有することを保証する。
【００６８】
図７に示される応用例は、光センサ装置１０及び制御回路７４を有するが光源を有しない（示されない）追加的な制御ユニットによって拡張され得る。この追加的な制御ユニットは、特定の位置における色を測定し、隣接するランプ６０へ対応する制御信号を送信するのに用いられ得る。更に、追加的なユニットは、リモートコントロールから制御信号を受信し得る。
【００６９】
要約すると、本発明は、赤外線通信リンクを有する新規な色センサ装置を提供する。光センサ装置は、可視光範囲における所要なスペクトル感知性を実現するための適合されたフィルタ構成、及び、加えて、赤外線範囲へ適合されたフィルタ構成を含む。全ての必要なフィルタ回路及び感知性半導体構造は、１つのセンサコンポーネントへ組み合わせられる。結果として、センサは、ランプの実際の色スペクトルを捕捉し、且つ同時に、他の光源又はリモートコントロール装置から送信される赤外線信号を受信するように使用され得る。
【００７０】
特別な実施例において、組み合わせられる色及び赤外線センサは、赤外線送信装置を用いて拡張される。このことは、センサ装置が、他の光源又はリモートコントロール装置へ所要な情報を送信することも可能にする。
【００７１】
組み合わせられた赤外線通信リンクを用いる提案された色フィードバックセンサは、固体状態光源のセンサ部分のサイズを低減することに役立ち（個別の光センサ、赤外線受信器及び赤外線送信器の代わりに１つの組み合わせられたモジュールの装着及び配線）、またこのことは、より簡素でより安価な製品になり、ランプ及びリモートコントロール装置間の無線通信リンクを可能にさせる。
【図１】
0005451392.tif 000002
【図２Ａ】
0005451392.tif 000003
【図２Ｂ】
0005451392.tif 000004
【図３】
0005451392.tif 000005
【図４】
0005451392.tif 000006
【図５】
0005451392.tif 000007
【図６】
0005451392.tif 000008
【図７】
0005451392.tif 000009